(57)【要約】      （修正有）【課題】空気清浄機能をもったイオン発生装置において、空気の放出口の近傍の陽圧下に置かれたイオン発生器からの、危険なオゾンが直接外気に濃度高く放出される事を抑制するとともに、十分なる滅菌作用を行なう。【解決手段】空気の吸入口２１の近傍の陰圧下にイオン発生器２３を配置し、効率よく正イオン、負イオンを発生させると共に、派生的なオゾンを発生させ、イオン発生装置内の陽圧空間２５において、オゾンにより一次的に空気中の細菌を滅菌することで、オゾンの濃度を安全レベル（０．１ｐｐｍ以下）にした後、大気中に放出し、二次的に余剰の正イオン、負イオンと共にイオン発生装置の周辺の空気中に浮遊する細菌を滅菌する。【選択図】図２
2011018624.tif 000002
【特許請求の範囲】
【請求項１】
陰圧下でイオンを発生させる事を特徴としたイオン発生装置
【請求項２】
イオン発生装置の吸風機による陽圧空間内でイオン発生器により発生したイオンにより気中に浮遊する細菌を滅菌させることを特徴とするイオン発生装置
【請求項３】
正イオン負イオンを濃度高く発生させる事により付帯的に発生するオゾンの酸化作用を請求項２の陽圧空間内ではかり０．１ｐｐｍ以上の濃度のオゾンを大気中に放出させない事を特徴とするイオン発生装置
【請求項４】
イオン発生器を、イオン発生装置の空気の吸空口近くに設定配置し発生させたイオンを主として陽圧空間で作用させて空気中に浮遊する細菌を滅菌させた空気と０．１ｐｐｍ以下のオゾンを大気中に放出させる事を特徴とするイオン発生装置
【発明の詳細な説明】
【技術分野】
【０００１】
本発明は空気中に浮遊する細菌を滅菌させるためのイオン発生装置に関するものである。
【背景技術】
【０００２】
人体に有害な細菌を滅菌する装置に関して正イオンと負イオンを発生させる素晴らしい発明（特開２００１−１４８８０９）が良く知られる所である。その製品が社会的に大きく衛生面において貢献をしている。
【先行技術文献】
【特許文献】
【０００３】
【特許文献１】特開２００１−１４８８０９
【発明の開示】
【発明の効果】
【０００４】
本発明による正イオン負イオンと派生；付帯的に生じるオゾンの発生器を陰圧下で効率よく発生させ、そのイオンを用いて陽圧下で空気中に、陽圧ゆえに高濃度に浮遊する細菌に対して効率よく滅菌作用をさせる。更にイオン発生器を排気口から空気路的には一番離れた位置に配置し派生的に生じた危険なオゾンをイオン発生装置の陽圧下で滅菌作用をさせる事により危険な濃度から安全な濃度に治めた後に大気に放出させることにより、安全で効率のいいイオン発生装置による滅菌作用を図ることが出来る効果がある。
【発明が解決しようとする課題】
【０００５】
然しながら上記のイオン発生装置においては、正イオンと負イオンを大量に発生させて滅菌作用を強くすると、イオンに付帯して発生する有害なオゾンの濃度が高くなり，充分なる滅菌機能を発揮する事ができないと言う重大な欠陥を有している。又イオン発生器が空気の送風経路などの空気噴出し口の内部近傍に配置されていた為に陽圧状態であるため所定の電圧で充分にイオンを発生させる事が出来ず、昇圧をするとオゾンが発生し出口の近傍であるために極めて有害なオゾンが直接大気中に放出されると言う重大な問題があった。
【０００６】
本発明は上に述べた従来の問題点を鑑みてなされたものである。
【課題を解決するための手段】
【０００７】
上記目的を達成するために、本発明においてはイオン発生器を吸気口の近傍の陰圧下の空間に配置設置しイオンの発生を促進させると同時に、その正イオン負イオンと派生して生じたオゾンを用いてイオン発生装置内の空気中に浮遊する細菌の密度も常圧よりも高くなっている陽圧空間において、陽圧であるがゆえに細菌とイオン粒子との空間距離が密接している為に効率高く滅菌作用を図ると同時に、この陽圧空間において大部分のオゾンは滅菌作用により有害な濃度以下になり大気中に放出されるも安全である。
【０００８】
イオン発生器については、従来から多くのものが良く知られている。電極間を空間にしたものやその電極の空間に絶縁体を挟めたものなど枚挙にいとまがない。又、絶縁体の材質も酸化物からなるセラミック質や、ガラス質などが採用されている。電極に印加される電圧も交流から鋸歯状の波形や、方形波やフリップフロップ状の直流にいたるまで多くの波形の物が使用されているが本発明はそれらの電圧は波形の種類に関係は無くイオンが生じる物を全て対象とする。
【発明を実施するための形態】
【実施例１】
【０００９】
以下本発明の実地形態を従来の物と図面を参照しながら比較して詳記する。図１は、従来の特許２００１−１４８８０９の代表的な実地形態のイオン発生装置の図である。風路を矢印で示すように吸気口１２からフイルター１３を経た空気は送風機１４により送風口１５に到る。その送風口１５の近傍の陽圧のところにイオン発生器１１が配置設置されている。この構成では、陽圧空間にイオン発生器１１が配置設置されている為に常圧空間よりも同一電圧では、放電が生じ難く結果的には目的の正イオンや負イオンの発生が生じにくい。
【００１０】
図２は、本発明の実施形態を示す物である。吸気口２１からフイルター２２を経たところの大気よりも気圧の低い陰圧空間にイオン発生器２３を配置設定し送風機２４により陽圧空間を作る。この陽圧空間２５で空気中に浮遊する細菌を、陰圧状態に置かれたイオン発生器から生じた正イオン、負イオンと派生的に生じたオゾンイオンで一次的な滅菌作用をさせる。この空間で滅菌作用を充分にさせるも過剰の一部の有効な正イオン負イオンと濃度が充分に薄められたオゾンが、排気口２６より大気中に放出されて、二次的ではあるが、イオン発生装置の周辺の大気に浮遊する細菌を滅菌する事もある。
【００１１】
図３はイオン発生装置内の気圧をモデル的に示した物である。縦軸に圧力を横軸にはイオン発生器装置の空気の経路順の工程を示した。吸気口は大気の、常圧からやや陰圧になり、フイルター工程で更に陰圧になり次の送風機の工程で陰圧から陽圧に逆転をする。この陽圧空間が一次滅菌作用空間である。次に排気口を経て大気中に滅菌をされた空気と過剰な正イオン、負イオンと充分に濃度を薄めたオゾンの一部が排出され大気中で二次的な滅菌作用をする。
【００１２】
安全を期して、排気口の近傍にオゾンセンサを搭載し所定濃度以上のオゾンが大気中に放出される危険性を皆無にするために、イオン発生器の印加電圧を制御させてオゾンの過剰発生を制御するとか、或いは送風量を制御するなどの良く知られた常套手段を持って対処をする事は、自由である。
【実施例２】
【００１３】
従来の熱交換器を搭載したイオン発生装置を図４に示し本発明の装置を図５に示し比較対象をしながら本発明の特徴を詳述する。従来の熱交換機４５を搭載したイオン発生装置では空気吸い込み口４２から入った空気はフイルター４３を通過した後に熱交換器から熱せられる。この空間４７は送風フアン４４により排気される為に陰圧でありイオン発生器を設置すると同一印加電圧であると多量にイオンを発生する環境である。然しながら従来は、排気口４６の近傍にイオン発生器４１が配置設定されている。このために、イオン発生器から、正イオン、負イオンの発生に付帯して生じる危険なオゾンが高濃度な場合に、陽圧空間中で滅菌作用をする事によって濃度を薄めることなく直接大気中に放出される為に、極めて危険である。
【００１４】
一方、本発明では図５に示すように空気の吸い込み口５２からフイルター５３を通過した陰圧下の空間に、イオン発生器５１を配置設定して一種の放電により発生させる正イオン負イオンの発生を常圧時よりも安易に放電させる。更に送風フアン５４で陽圧になった空間５６中で、正イオン、負イオンと派生的に生じたオゾンにより一次的に空気中に浮遊する細菌に対して滅菌作用をさせる。
【００１５】
余剰の正イオン負イオンと陽圧空間で滅菌作用をして薄く安全レベル０．１ｐｐｍ以下の濃度になったオゾンは排気口５２から大気中に放出され二次的にイオン発生装置の周辺に浮遊する細菌を滅菌する。
【００１６】
イオン発生器の構成は、従来から数多くの物が見られるので、あえて詳しく述べる事は本発明の特徴を活かせるためには、不要と判断をする。
【００１７】
即ち本発明の主旨である陰圧下にイオン発生器を配置就ける放電により発生をするイオンを効率良く発生させる事。次に発生されたイオンを陽圧空間において、空気中に陽圧ゆえに高濃度に浮遊する細菌に対して効率よく滅菌作用をさせる。更に正イオン負イオンに派生して生じるオゾンを、イオン発生器内の陽圧空間で滅菌作用をさせる事により外気に放出するオゾンの濃度を安全な濃度レベル０．１ｐｐｍ以下にした後に排気させる。
【図面の簡単な説明】
【００１８】
【図１】従来の空気清浄のためのイオン発生装置の側面図を示す。
【図２】本発明の第１実地形態の空気清浄のためのイオン発生装置の側面図を示す。
【図３】本発明の空気清浄のためのイオン発生装置内の気圧の状況をモデル的に示した物である。
【図４】従来の空気清浄のためのイオン発生装置の側面図を示す。
【図５】本発明の第２実施形態の空気清浄のためのイオン発生装置の側面図を示す。
【符号の説明】
【００１９】
１１イオン発生器
１２空気の吸気口
１３フイルター
１４送風機
１５排気口
２１空気の吸気口
２２フイルター
２３イオン発生器
２４送風機
２５陽圧空間
２６排気口
４１イオン発生器
４２空気の吸気口
４３フイルター
４４送風機
４５熱交換器
４６排気口
４７陰圧空間
５１イオン発生器
５２空気の吸気口
５３フイルター
５４送風機
５５熱交換器
５６陽圧空間
５７排気口
【図１】
2011018624.tif 000003
【図２】
2011018624.tif 000004
【図３】
2011018624.tif 000005
【図４】
2011018624.tif 000006
【図５】
2011018624.tif 000007
【手続補正書】
【提出日】平成21年7月13日(2009.7.13)
【手続補正１】
【補正対象書類名】明細書
【補正対象項目名】０００２
【補正方法】変更
【補正の内容】
【０００２】
人体に有害な細菌を滅菌する装置に関して正イオンと負イオンを発生させる素晴らしい発明（特願２００１−１４８８０９）が良く知られる所である。その製品が社会的に大きく衛生面において貢献をしている。
【手続補正２】
【補正対象書類名】明細書
【補正対象項目名】０００３
【補正方法】変更
【補正の内容】
【０００３】
【特許文献１】特願２００１−１４８８８０９
【手続補正３】
【補正対象書類名】明細書
【補正対象項目名】０００９
【補正方法】変更
【補正の内容】
【０００９】
以下本発明の実施形態を従来の物と図面を参照しながら比較して詳記する。図１は、従来の特願２００１−１４８８０９の代表的な実施形態のイオン発生装置の図である。風路を矢印で示すように吸気口１２からフイルター１３を経た空気は送風機１４により送風口１５に到る。その送風口１５の近傍の陽圧のところにイオン発生器１１が配置設置されている。この構成では、陽圧空間にイオン発生器１１が配置設置されている為に常圧空間よりも同一電圧では、放電が生じ難く結果的には目的の正イオンや負イオンの発生が生じにくい。
【手続補正４】
【補正対象書類名】明細書
【補正対象項目名】００１０
【補正方法】変更
【補正の内容】
【００１０】
図２は、本発明の実施形態を示す物である。吸気口２１からフイルター２２を経たところの大気よりも気圧の低い陰圧空間にイオン発生器２３を配置設置し送風機２４により陽圧空間を作る。この陽圧空間２５で空気中に浮遊する細菌を、陰圧状態に置かれたイオン発生器から生じた正イオン、負イオンと派生的に生じたオゾンイオンで一次的な滅菌作用をさせる。この空間で滅菌作用を充分にさせるも過剰の一部の有効な正イオン負イオンと濃度が充分に薄められたオゾンが、排気口２６より大気中に放出されて、二次的ではあるが、イオン発生装置の周辺の大気に浮遊する細菌を滅菌する事もある。
【手続補正５】
【補正対象書類名】明細書
【補正対象項目名】００１３
【補正方法】変更
【補正の内容】
【００１３】
従来の熱交換器を搭載したイオン発生装置を図４に示し本発明の装置を図５に示し比較対象をしながら本発明の特徴を詳述する。従来の熱交換機４５を搭載したイオン発生装置では空気吸い込み口４２から入った空気はフイルター４３を通過した後に熱交換器から熱せられる。この空間４７は送風フアン４４により排気される為に陰圧でありイオン発生器を設置すると同一印加電圧であると多量にイオンを発生する環境である。然しながら従来は、排気口４６の近傍にイオン発生器４１が配置設置されている。このために、イオン発生器から、正イオン、負イオンの発生に付帯して生じる危険なオゾンが高濃度な場合に、陽圧空間中で滅菌作用をする事によって濃度を薄めることなく直接大気中に放出される為に、極めて危険である。
【手続補正６】
【補正対象書類名】明細書
【補正対象項目名】００１４
【補正方法】変更
【補正の内容】
【００１４】
一方、本発明では図５に示すように空気の吸い込み口５２からフイルター５３を通過した陰圧下の空間に、イオン発生器５１を配置設置して一種の放電により発生させる正イオン負イオンの発生を常圧時よりも安易に放電させる。更に送風フアン５４で陽圧になった空間５６中で、正イオン、負イオンと派生的に生じたオゾンにより一次的に空気中に浮遊する細菌に対して滅菌作用をさせる。
【手続補正７】
【補正対象書類名】明細書
【補正対象項目名】００１８
【補正方法】変更
【補正の内容】
【００１８】
【図１】従来の空気清浄のためのイオン発生装置の側面図を示す。
【図２】本発明の第１実施形態の空気清浄のためのイオン発生装置の側面図を示す。
【図３】本発明の空気清浄のためのイオン発生装置内の気圧の状況をモデル的に示した物である。
【図４】従来の空気清浄のためのイオン発生装置の側面図を示す。
【図５】本発明の第２実施形態の空気清浄のためのイオン発生装置の側面図を示す。
【手続補正９】
【補正対象書類名】図面
【補正対象項目名】図５
【補正方法】変更
【補正の内容】
【図５】
2011018624.tif 000008